(57)【要約】【課題】  釣合い錘と同等の機能を発揮し、かつ、釣合い錘を設ける場合よりもスペースの節約及び乗りかごへの振動を低減できるエレベーター用流体圧駆動機及びそれを備えたエレベーターを提供する。【解決手段】  本発明のエレベーター用流体圧駆動機は、流体圧駆動機によって乗りかごを昇降するエレベーターに用いられるエレベーター用流体圧駆動機おいて、流体圧駆動機は、流体の流入又は流出によって内容積を変化可能な流体圧シリンダと、流体圧シリンダに挿入され、内容積の変化に応じて伸縮するプランジャ（６ａ）と、流体圧シリンダに流体を供給し、又は流体圧シリンダから流出する流体を収容するポンプを有し、プランジャ（６ａ）は複数の錘（１０ａ）を含み、錘（１０ａ）のそれぞれがプランジャ（６ａ）に取付け及び取外しが可能に構成されている。【選択図】図２
2019085202.tif 000002
【特許請求の範囲】
【請求項１】
乗りかごと、流体圧駆動機と、前記乗りかご及び前記流体圧駆動機を連結するロープとを備え、前記流体圧駆動機によって前記乗りかごを昇降するエレベーターに用いられるエレベーター用流体圧駆動機おいて、
前記流体圧駆動機は、流体の流入又は流出によって内容積を変化可能な流体圧シリンダと、前記流体圧シリンダに挿入され、前記内容積の変化に応じて伸縮するプランジャと、前記流体圧シリンダに前記流体を供給し、又は前記流体圧シリンダから流出する前記流体を収容するポンプを有し、
前記プランジャは複数の錘を含み、前記錘のそれぞれが前記プランジャに取付け及び取外しが可能に構成されていることを特徴とするエレベーター用流体圧駆動機。
【請求項２】
請求項１に記載のエレベーター用流体圧駆動機において、
前記プランジャは中空円筒形状を有し、
前記錘は円柱形状を有し、前記プランジャの中空部に積層されることを特徴とするエレベーター用流体圧駆動機。
【請求項３】
請求項２に記載のエレベーター用流体圧駆動機において、
前記錘の上面の中央部に取っ手が設けられていることを特徴とするエレベーター用流体圧駆動機。
【請求項４】
請求項２に記載のエレベーター用流体圧駆動機において、
前記プランジャの上部が開閉可能な蓋で構成されていることを特徴とするエレベーター用流体圧駆動機。
【請求項５】
請求項１に記載のエレベーター用流体圧駆動機において、
前記プランジャは前記錘の積層体からなることを特徴とするエレベーター用流体圧駆動機。
【請求項６】
請求項５に記載のエレベーター用流体圧駆動機において、
前記錘は、上面の中央部に設けられたねじと、下面の中央部に設けられたねじ穴と、上面の端部に設けられ、レバーを係合可能なレバー取付け部とを有することを特徴とするエレベーター用流体圧駆動機。
【請求項７】
請求項１〜６のいずれか１項に記載のエレベーター用流体圧駆動機において、
前記錘は中空部を有することを特徴とするエレベーター用流体圧駆動機。
【請求項８】
乗りかごと、流体圧駆動機と、前記乗りかご及び前記流体圧駆動機を連結するロープとを備え、前記流体圧駆動機によって前記乗りかごを昇降するエレベーターにおいて、
前記流体圧駆動機は、流体の流入又は流出によって内容積を変化可能な流体圧シリンダと、前記流体圧シリンダに挿入され、前記内容積の変化に応じて伸縮するプランジャと、前記流体圧シリンダに前記流体を供給し、又は前記流体圧シリンダから流出する前記流体を収容するポンプを有し、
前記プランジャは複数の錘を含み、前記錘のそれぞれが前記プランジャに取付け及び取外しが可能に構成されていることを特徴とするエレベーター。
【請求項９】
請求項８に記載のエレベーターにおいて、
前記プランジャは中空円筒形状を有し、
前記錘は円柱形状を有し、前記プランジャの中空部に積層されることを特徴とするエレベーター。
【請求項１０】
請求項９に記載のエレベーターにおいて、
前記錘の上面の中央部に取っ手が設けられていることを特徴とするエレベーター。
【請求項１１】
請求項９に記載のエレベーターにおいて、
前記プランジャの上面が開閉可能な蓋で構成されていることを特徴とするエレベーター。
【請求項１２】
請求項８に記載のエレベーターにおいて、
前記プランジャは前記錘の積層体からなることを特徴とするエレベーター。
【請求項１３】
請求項１２に記載のエレベーターにおいて、
前記錘は、上面の中央部に設けられたねじと、下面の中央部に設けられたねじ穴と、上面の端部に設けられ、レバーを係合可能なレバー取付け部とを有することを特徴とするエレベーター。
【請求項１４】
請求項８〜１３のいずれか１項に記載のエレベーターにおいて、
前記錘は中空部を有することを特徴とするエレベーター。
【発明の詳細な説明】
【技術分野】
【０００１】
本発明は、流体圧駆動機及びそれを備えたエレベーターに関する。
【背景技術】
【０００２】
流体圧エレベーターは、一般に、シリンダ及びプランジャを有する流体圧駆動機（流体圧ジャッキ）により乗りかごを昇降させるものである。流体圧エレベーターの一例として、例えば特許文献１がある。特許文献１には、乗りかごを第１のロープを介して流体圧シリンダによって間接的に支持し、つり合いおもりを第２のロープと昇降路上部の固定部材に設けたプーリを介して直接或いは間接的に乗りかごと結合した流体圧エレベーターにおいて、昇降路上部の固定部材或いはプーリ周辺にロープ緩み検出装置を設け、第１及び／又は第２のロープの張力変化を検出すると共に、検出した信号の伝送線を昇降路上部の固定部材及び昇降路内の支柱部材に配線することを特徴とする流体圧エレベーターが開示されている。
【０００３】
特許文献１では、流体圧駆動機の押上力の軽減を図るために、釣合い錘（カウンターウェート）を、ロープと昇降路上部の固定部材に設けたプーリを介して直接或いは間接的に乗りかごと結合している。
【先行技術文献】
【特許文献】
【０００４】
【特許文献１】特開平１１−３４３０８２号公報
【発明の概要】
【発明が解決しようとする課題】
【０００５】
ところで、流体圧エレベーター装置を設置する建屋の条件によっては、昇降路のスペースに限りがあり、釣合い錘付きのものを設置することが難しいという場合がある。また、釣合い錘を設ける場合、釣合い錘と流体圧駆動機との間にプーリを設ける必要があり、ロープが振動することによる乗りかごへの振動の増加の原因となる可能性がある。
【０００６】
本発明の目的は、上記事情に鑑み、釣合い錘と同等の機能を発揮し、かつ、釣合い錘を設ける場合よりもスペースの節約及び乗りかごへの振動を低減できるエレベーター用流体圧駆動機及びそれを備えたエレベーターを提供する。流体圧駆動機及びそれを備えたエレベーターを提供する。
【課題を解決するための手段】
【０００７】
本発明は、上記目的を達成するために、
流体圧駆動機によって乗りかごを昇降するエレベーターに用いられるエレベーター用流体圧駆動機おいて、流体圧駆動機を構成するプランジャを複数の錘を含む物とする。錘のそれぞれがプランジャに取付け及び取外しが可能に構成する。
【０００８】
また、本発明は、流体圧駆動機によって乗りかごを昇降するエレベーターにおいて、流体圧駆動機を構成するプランジャを複数の錘を含む物とする。錘のそれぞれがプランジャに取付け及び取外しが可能に構成する。
【０００９】
本発明のより具体的な構成は、特許請求の範囲に記載される。
【発明の効果】
【００１０】
本発明によれば、釣合い錘と同等の機能を発揮し、かつ、釣合い錘を設ける場合よりもスペースの節約及び乗りかごへの振動を低減できるエレベーター用流体圧駆動機及びそれを備えたエレベーターを提供することができる。
【００１１】
上述した以外の課題、構成及び効果は以下の実施形態の説明により明らかにされる。
【図面の簡単な説明】
【００１２】
【図１】本発明の実施例１のエレベーターを示す模式図
【図２】図１のプランジャとその周辺をより詳細に示す図
【図３Ａ】図２の錘の上面図
【図３Ｂ】図２の錘の側面図
【図４】プランジャの内部に錘を積層する方法を示す図
【図５】実施例２のエレベーターのプランジャを示す模式図
【図６Ａ】図５の錘を示す上面図
【図６Ｂ】図５の錘を示す側面図
【図７Ａ】図５の錘を積層する方法を示す上面図
【図７Ｂ】図５の錘を積層する方法を示す側面図
【図８Ａ】実施例３の錘を示す上面図
【図８Ｂ】実施例３の錘を示す側面図
【発明を実施するための形態】
【００１３】
以下、図面等を用いて、本発明の実施形態について説明する。なお、各図において同一又は類似の構成には同じ符号を付して繰り返しの説明は省略する。
【実施例１】
【００１４】
図１は本発明の実施例１のエレベーターを示す模式図である。図１に示すように、エレベーター１００は、乗りかご１と、流体圧駆動機２と、乗りかご１及び流体圧駆動機２を連結するロープ３とを備える。流体圧駆動機２は、流体３０の流入又は流出によって内容積を変化可能な流体圧シリンダ５と、流体圧シリンダ５に挿入され、流体圧シリンダ５の内容積の変化に応じて伸縮するプランジャ６ａと、流体圧シリンダ５に流体３０を供給し、又は流体圧シリンダ５から流出する流体３０を収容するポンプ３１を有する。流体としては、油や空気を用いることができる。流体圧シリンダ５とプランジャ６ａとの間にはパッキン３２が設けられ、流体圧シリンダ５の内部が密閉されている。
【００１５】
ロープ３は、一端が乗りかご１に連結されると共に、他端が昇降路４頂部に固定されており、かつ、その中間部が、プランジャ６ａの頂部に設けた流体圧駆動機側プーリ７と、昇降路４の頂部に配置される昇降路側プーリ８とに巻き掛けられている。本実施例のロープ３は、いわゆる１：２ローピングとなっており、乗りかご１の移動量はプランジャ６ａの移動量の２倍となると共に、プランジャ６ａの降下で乗りかご１が上昇し、プランジャ６ａの上昇で乗りかご１が下降するようになっている。すなわち、プランジャ６ａ及び乗りかご１の昇降方向が逆になっている。
【００１６】
次に、プランジャ６ａの構成について詳述する。図２は図１のプランジャとその周辺をより詳細に示す図である。図２に示すように、プランジャ６ａは複数の錘１０ａを含んでいる。プランジャ６ａは中空円筒形状を有しており、プランジャ６ａの中空部（中空胴部）９に錘１０ａが積層されている。プランジャ６ａの上部（頂部）は、複数の固定ボルト１１により蓋１２が取り付けられると共に、この蓋１２に、流体圧駆動機側プーリ７が支持されている。蓋１２は、端部の固定ボルト１１を中心に回転可能な構成を有している。この回転によって、蓋１２を開閉することができる。
【００１７】
図３Ａは図２の錘の上面図であり、図３Ｂは図２の錘の側面図である。図３Ａ及び図３Ｂに示すように、錘１０ａは円柱形状を有しており、上面の中央部には取っ手１３が設けられている。取っ手１３は、錘１０ａを複数積層するのに邪魔にならないように、錘１０ａの表面から突出しないように設けられている。錘１０ａの外径は、プランジャ６ａの内径（中空部９の径）より小さく、錘１０ａはプランジャ６ａの中空部９に収容可能となっている。
【００１８】
図４はプランジャの内部に錘を積層する方法を示す図である。プランジャ６ａは、例えば、中空部９を空とした状態で製造工場から据付現場に搬入される。そして、流体圧駆動機２を所定の位置に据え付けた後、図４に示すように、蓋１２の１つの固定ボルト１１を残して、他の固定ボルト１１を取り外し、残した固定ボルト１１を中心にプランジャ６ａの上部の蓋１２を回転させて蓋１２を開ける。次いで、チェーンブロック１４のフックを錘１０ａの取っ手１３に係合し、チェーンブロック１４により錘１０ａを釣り上げ、プランジャ６ａの中空部９に収容していく。この手順を繰り返し、複数の錘１０ａを中空部９に積層する。錘１０ａは、プランジャ６ａが流体圧駆動機２の押上力を軽減できる所定の重さ（プランジャ６ａを乗りかご１の重量を補償する所定の重さ）となるように積層する。この所定の重さは、エレベーターの仕様等によるが、例えば、乗りかご１の２倍の重量とする。
【００１９】
上述した通り、本発明のエレベーター１００によれば、通常運転時、ロープ３のローピングにより乗りかご１の昇降方向とプランジャ６ａの伸縮方向が逆方向となっていることから、プランジャ６ａを降下させると乗りかご１が上昇し、プランジャ６ａを上昇させると乗りかご１が下降する。そして、プランジャ６ａが乗りかご１の自重を補償する所定の重さに設定されていることから、乗りかご１を比較的少ない駆動力で持ち上げることが可能となる。すなわち、プランジャ６ａ自身が釣合い錘の機能を発揮するため、従来にように釣合い錘を流体圧駆動機とは別に設ける場合よりもスペースの節約を図ることができる。また、従来にように釣合い錘を流体圧駆動機とは別に設ける場合に追加するプーリが不要となるため、乗りかごへの振動も低減することができる。
【実施例２】
【００２０】
図５は実施例２のエレベーターのプランジャを示す模式図であり、図６Ａは図５の錘を示す上面図であり、図６Ｂは図５の錘を示す側面図である。本実施例のプランジャ６ａは、図５に示すように、錘１０ｂの積層体で構成されている。プランジャ６ｂの頂部にはブラケット材２１が取り付けられ、このブラケット材２１に流体圧駆動機側プーリ７が回転可能に支持されている。すなわち、本実施例では、実施例１のようにプランジャの内部に錘を積層するのではなく、錘自体でプランジャを構成している。実施例１は既存の流体圧駆動機に適用可能な構成を有しているが、流体圧駆動機を新たに製造し、設置する場合、本実施例のような構成とすることで、流体圧駆動機の部品数を減らし、コストの低減を図ることができる。
【００２１】
図６Ａ及び図６Ｂに示すように、錘１０ｂの上面の中央部にはねじ２２が設けられ、下面の中央部にはねじ穴２３が設けられている。このような構成によって、上部の錘のねじ穴に下部の錘のねじを係合し、錘を連結して錘積層体を構成することができる。
【００２２】
図７Ａは図５の錘を積層する方法を示す上面図であり、図７Ｂは図５の錘を積層する方法を示す側面図である。図７Ａ及び７Ｂに示すように、錘１０ｂの上面に端部には、レバー２５を係合可能なレバー取付け部２４が設けられている。レバー取付け部２４にレバー２５を係合し、図７Ａ中の矢印方向に回転させることで、ねじ２２及びねじ穴２３を係合することができる。
【００２３】
プランジャ６ｂを完成後、プランジャ６ｂの側面が平坦となるように表面処理（研磨）を行うことが好ましい。プランジャ６ｂの側面に凹凸がある（錘１０ｂの繋ぎ目に段差がある）と、プランジャ６ｂが上下した際に、プランジャ６ｂと流体圧シリンダ５間に設けられるパッキン３２にダメージを与え、パッキン３２が破損する恐れがあるためである。製造工場でプランジャ６ｂを完成後、それぞれの錘の順番を把握しておき、分解して据え付け据付現場に運ぶ。そして、据付現場で錘を工場で積層した時の順番通りに積層することで、側面が平坦なプランジャ６ｂを組み立てることができる。
【実施例３】
【００２４】
図８Ａは実施例３の錘を示す上面図であり、図８Ｂは実施例３の錘を示す側面図である。図８Ａ及び８Ｂに示すように、本実施例の錘１０ｃは、中空部２６を有している。このような構成とすることで、錘１０ｃの軽量化を図ることができる。
【００２５】
エレベーターを設置する建物の階数が多く、乗りかごを長距離移動させる場合、プランジャの高さも大きくなるが、その分プランジャの重量も大きくなる。乗りかごの重量に対してプランジャの重量が大きくなり過ぎると、プランジャを上昇させて乗りかごを降下させる場合の効率が低下してしまう。そこで、本実施例のように錘１０ｃに中空部２６を設けることで、錘１０ｃを軽量化し、プランジャの重量を大きくなり過ぎないように抑えることができる。
【００２６】
本実施例の中空部２６を有する錘１０ｃと実施例２の中実の錘１０ｂとを組み合わせてプランジャを構成しても良い。また、実施例１のように、プランジャの中空部に積層する錘を、本実施例の中空部２６を有する錘１０ｃとしても良い。
【００２７】
本実施例においても、実施例２と同様に、プランジャを完成後、プランジャの側面が平坦となるように表面処理（研磨）を行うことが好ましい。パッキン３２へのダメージを低減するためである。
【００２８】
以上、説明したように、本発明によれば、釣合い錘と同等の機能を発揮し、かつ、釣合い錘を設ける場合よりもスペースの節約及び乗りかごへの振動を低減できるエレベーター用流体圧駆動機及びそれを備えたエレベーターを提供することができることが示された。
【００２９】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、ある実施例の構成に他の実施例の構成を加えることも可能である。また、各実施例の構成の一部について、他の構成の追加・削除・置換をすることが可能である。
【符号の説明】
【００３０】
１…乗りかご、２…流体圧駆動機、３…ロープ、４…昇降路、５…流体圧シリンダ、６ａ，６ｂ…プランジャ、７…流体圧駆動機側プーリ、８…昇降路側プーリ、９，２６…中空部、１０ａ，１０ｂ，１０ｃ…錘、１１…固定ボルト、１２…蓋、１３…取っ手、１４…チェーンブロック、２１…ブラケット材、２２…ねじ、２３…ねじ穴、２４…レバー取付け部、２５…レバー、３０…流体、３１…ポンプ、３２…パッキン、１００…エレベーター。
【図１】
2019085202.tif 000003
【図２】
2019085202.tif 000004
【図３Ａ】
2019085202.tif 000005
【図３Ｂ】
2019085202.tif 000006
【図４】
2019085202.tif 000007
【図５】
2019085202.tif 000008
【図６Ａ】
2019085202.tif 000009
【図６Ｂ】
2019085202.tif 000010
【図７Ａ】
2019085202.tif 000011
【図７Ｂ】
2019085202.tif 000012
【図８Ａ】
2019085202.tif 000013
【図８Ｂ】
2019085202.tif 000014